(57)【要約】【課題】  符号化効率の低下を抑制しながら輝度変化に追従した露出制御を行う撮像装置を提供する。【解決手段】  輝度変化が閾値より大きい場合には、目標となる露出値に対して段階的に到達するよう、露出値を段階的に変化させる露出制御を行う。その際、露出値が適用される画像フレームがフレーム内予測符号化されるかどうかをまず判別する（Ｓ２０３）。そして、フレーム内予測符号化される画像フレームに対しては、それ以外の画像フレームよりも段階的な変化が大きい露出値を決定する（Ｓ２０５）。【選択図】  図２
2009118012.tif 000002
【特許請求の範囲】
【請求項１】
撮像素子を用いて連続的に撮影された画像フレームを、圧縮符号化する撮像装置であって、
前記画像フレームの輝度に応じて露出値を決定し、前記露出値に基づいて前記撮像素子の露出制御を行う露出制御手段と、
前記画像フレームを、フレーム内予測符号化又はフレーム間予測符号化を用いて圧縮符号化する符号化手段とを有し、
前記露出制御手段が、
前記画像フレームの輝度が、過去の画像フレームの輝度から予め定めた閾値よりも大きく変化した場合には、前記画像フレームの輝度に対応した目標露出値に段階的に到達するよう、段階的に変化する露出値を決定するとともに、前記符号化手段がフレーム内予測符号化を行う画像フレームに対しては、前記符号化手段がフレーム間予測符号化を行う画像フレームに対するよりも、露出値の変化が大きくなるよう、前記段階的に変化する露出値を決定することを特徴とする撮像装置。
【請求項２】
前記露出制御手段が、前記段階的に変化する露出値を決定した際、この決定した露出値と前記目標露出値との差を補正するための階調補正情報を生成するとともに、
前記段階的に変化する露出値を用いて撮影された画像フレームに対して、対応する前記階調補正情報を用いて階調補正を行う階調補正手段をさらに有することを特徴とする請求項１記載の撮像装置。
【請求項３】
前記露出制御手段は、前記画像フレームの輝度が前記過去の画像フレームの輝度から予め定めた閾値よりも大きく増加した場合、高輝度画素のゲインを低下させる前記階調補正情報を生成し、前記画像フレームの輝度が前記過去の画像フレームの輝度から予め定めた閾値よりも大きく減少した場合、低輝度画素のゲインを増加させる前記階調補正情報を生成することを特徴とする請求項２記載の撮像装置。
【請求項４】
前記画像フレームの輝度が前記過去の画像フレームの輝度から前記予め定めた閾値以下で変化した場合、前記露出制御手段が、前記目標露出値を用いて前記露出制御を行うことを特徴とする請求項１乃至請求項３のいずれか１項に記載の撮像装置。
【請求項５】
撮像素子を用いて連続的に撮影された画像フレームを、圧縮符号化する撮像装置の制御方法であって、
前記画像フレームの輝度に応じて露出値を決定し、前記露出値に基づいて前記撮像素子の露出制御を行う露出制御ステップと、
前記画像フレームを、フレーム内予測符号化又はフレーム間予測符号化を用いて圧縮符号化する符号化ステップとを有し、
前記露出制御ステップが、
前記画像フレームの輝度が、過去の画像フレームの輝度から予め定めた閾値よりも大きく変化した場合には、前記画像フレームの輝度に目標露出値に段階的に到達するよう、段階的に変化する露出値を決定するとともに、前記符号化ステップにおいてフレーム内予測符号化を行う画像フレームに対しては、前記符号化ステップにおいてフレーム間予測符号化を行う画像フレームに対するよりも、露出値の変化が大きくなるよう、前記段階的に変化する露出値を決定することを特徴とする撮像装置の制御方法。
【発明の詳細な説明】
【技術分野】
【０００１】
本発明は撮像装置及びその制御方法に関し、特には撮像した動画像を圧縮符号化する撮像装置及びその制御方法に関する。
【背景技術】
【０００２】
従来、動画像の圧縮符号化方式として、ＭＰＥＧ(Moving Picture Experts Group)方式が広く用いられている。ＭＰＥＧ方式において、動き補償フレーム間予測符号化を行う場合、符号化するマクロブロックと似たマクロブロックを、参照フレーム中に設定した探索領域内で探索する、いわゆるブロックマッチング法による動きが用いられる。
【０００３】
ブロックマッチング法では、探索領域内に符号化するマクロブロックと同じ形状のブロックを設定し、このブロックに含まれる画素と、符号化するマクロブロックに含まれる画素の対応するもの同士の輝度値の差分の合計を求める。そして、探索領域内に設定するブロックの位置を順次移動させながら、個々のブロックに対して輝度値の差分の合計を求め、最小値を有するブロックを、符号化するブロックの移動先ブロックとして検出する。
【０００４】
動き補償フレーム間予測符号化では、符号化するマクロブロックと、その移動先ブロックとの差分を符号化する。そのため、例えばフェードインやフェードアウトなどの効果や、太陽が雲に隠れたり現れたりといった状況で、輝度が変化すると、被写体が動いていなくてもフレーム間の輝度の差分が大きくなり、符号化効率が低下する。
【０００５】
このような輝度差による符号化効率の低下を防止するため、特許文献１では、輝度差に閾値を設け、輝度変化のみ（フェードイン、フェードアウト）と絵柄の変動を判別し、符号化量子化ステップ切り替えることが提案されている。
【０００６】
【特許文献１】特開平１１−２２５３４２号公報
【発明の開示】
【発明が解決しようとする課題】
【０００７】
しかしながら、輝度差による符号化効率の低下を、量子化ステップ等の符号化パラメータの制御により抑制しようとすると、その一方で、ブロック歪等の画質劣化の発生を妨げるための符号化パラメータの制御が妨げられることがあり、望ましくない。
【０００８】
一方、動画撮影時など、連続的な撮影を行う場合には、撮影中に刻々と変化する環境に追従して適切な露出制御が行われなくてはならない。露出制御が適切に行われないと、輝度変化に追従できず、フレーム間の大きな輝度差の発生を招き、結果として符号化効率の低下を招くことになる。
【０００９】
例えば低輝度な背景に高輝度な被写体が入ってきた場合、高輝度な被写体の影響を受けて露出値を変化させると、画面全体の輝度に影響し、露出値を変化させる前のフレームとの輝度差が大きくなる。そのため、フレーム間予測符号化の符号化効率が低下する。符号化効率の低下は、符合量の増加を意味するため、符号化結果を記録する場合には記録媒体の容量を、通信する場合には伝送レートをそれぞれ圧迫する。
【００１０】
また、画面の輝度値に大きな変動がある場合、順光の状態から逆光の状態へ、あるいはその逆へ連続して変化していると判断される。この場合、輝度差を低減すべく露出値を補正するという手法も考えられる。しかし、単に露出補正を行っても、符号化処理にとって適切なタイミングで露出補正が行われるかどうかは分からない。また、急激な輝度差への追従を緩和した場合、画角へ入ってきた高輝度の被写体に対する適正露出が得られるまでの時間がかかったり、高輝度の被写体の画質を損ねることにつながる。
【００１１】
本発明はこのような従来技術の課題の１つ以上を改善することを目的としてなされたものである。具体的には、本発明は、符号化効率の低下を抑制しながら輝度変化に追従した露出制御を行う撮像装置及びその制御方法を提供することを目的とする。
【課題を解決するための手段】
【００１２】
上述の目的は、撮像素子を用いて連続的に撮影された画像フレームを、圧縮符号化する撮像装置であって、画像フレームの輝度に応じて露出値を決定し、露出値に基づいて撮像素子の露出制御を行う露出制御手段と、画像フレームを、フレーム内予測符号化又はフレーム間予測符号化を用いて圧縮符号化する符号化手段とを有し、露出制御手段が、画像フレームの輝度が、過去の画像フレームの輝度から予め定めた閾値よりも大きく変化した場合には、画像フレームの輝度に対応した目標露出値に段階的に到達するよう、段階的に変化する露出値を決定するとともに、符号化手段がフレーム内予測符号化を行う画像フレームに対しては、符号化手段がフレーム間予測符号化を行う画像フレームに対するよりも、露出値の変化が大きくなるよう、段階的に変化する露出値を決定することを特徴とする撮像装置によって達成される。
【００１３】
また、上述の目的は、撮像素子を用いて連続的に撮影された画像フレームを、圧縮符号化する撮像装置の制御方法であって、画像フレームの輝度に応じて露出値を決定し、露出値に基づいて撮像素子の露出制御を行う露出制御ステップと、画像フレームを、フレーム内予測符号化又はフレーム間予測符号化を用いて圧縮符号化する符号化ステップとを有し、露出制御ステップが、画像フレームの輝度が、過去の画像フレームの輝度から予め定めた閾値よりも大きく変化した場合には、画像フレームの輝度に目標露出値に段階的に到達するよう、段階的に変化する露出値を決定するとともに、符号化ステップにおいてフレーム内予測符号化を行う画像フレームに対しては、符号化ステップにおいてフレーム間予測符号化を行う画像フレームに対するよりも、露出値の変化が大きくなるよう、段階的に変化する露出値を決定することを特徴とする撮像装置の制御方法によっても達成される。
【発明の効果】
【００１４】
このような構成により、本発明の撮像装置及びその制御方法によれば、符号化効率の低下を抑制しながら輝度変化に追従した露出制御を行うことができる。
【発明を実施するための最良の形態】
【００１５】
以下、添付図面を参照して、本発明の例示的かつ好適な実施形態について詳細に説明する。
図１は、本発明の実施形態に係る撮像装置の一例としてのビデオカメラの機能構成例を示すブロック図である。
【００１６】
本実施形態のビデオカメラは、連続的に撮影を行うことによって動画撮影を行う。
レンズ１０１により結像された光学被写体像は、アイリス１１３で入射光量を調節され、光電変換を利用した撮像素子の一例としてのＣＣＤ１０３へ入射される。光学被写体像はＣＣＤ１０３で画素単位の電気信号に変換され、さらにＡ／Ｄコンバータ（ＡＤ）１１４でＡＤ変換され、デジタル形式の画像データとして信号処理部１０６へ入力される。
【００１７】
アイリスモータ１０２は、アイリス駆動回路１０４の制御に従いアイリス１１３を駆動する。ＣＣＤ駆動回路１０５はＣＣＤ１０３の蓄積動作、読み出し動作、リセット動作を制御する。
【００１８】
ＣＰＵ１１２は、図示しない不揮発性メモリに予め記憶した制御プログラムを実行し、本実施形態のビデオカメラ全体の動作を制御する。
【００１９】
例えばＣＰＵ１１２は、後述するＡＥ回路１０６７の出力や輝度差検出回路１０６８の出力値に基づき、最終的なシャッタ速度（本実施形態ではＣＣＤ１０３における電荷蓄積時間）及び絞り値を決定する。そして、決定したシャッタ速度及び絞り値となるよう、ＣＣＤ駆動回路１０５及びアイリス駆動回路１０４を制御する。ＣＰＵ１１２はまた、後述するＡＦ回路１０６５の出力に基づき、レンズ１０１に含まれるフォーカシングレンズ（図示せず）の駆動を制御する。
【００２０】
信号処理部１０６へ入力された画像データはまず、色分離処理回路１０６１で輝度、色差に分離され、輝度処理回路１０６２、色差処理回路１０６３、輪郭処理回路１０６４でそれぞれ処理される。
【００２１】
ＡＦ（自動合焦制御）回路１０６５、ＡＥ（自動露出制御）回路１０６６，ＡＷＢ（自動ホワイトバランス制御）回路１０６７ではそれぞれ合焦制御、露光制御、ホワイトバランス調整に必要な評価値を採取する。
【００２２】
輝度差検出回路１０６８は処理フレーム（現フレーム）と過去の所定フレームとの間の輝度値の差を表す輝度差分値を求め、ＣＰＵ１１２へ出力する。この輝度差分値は、ＣＰＵ１１２において、露出値の補正を行うか否かの評価値として用いられる。なお、評価値として用いる輝度差分値はどのように求めても良いが、例えば処理フレームと所定フレームの全体に渡って対応する画素の輝度値の差を求め、その合計値として求めることができる。
【００２３】
ＣＰＵ１１２は、ＡＥ回路１０６７よりＡＥ評価値、輝度差検出回路１０６８より輝度差分値、符号化処理部１０７よりフレーム情報、後述する符号量制御部１０８より符号量制御情報をそれぞれ取得する。
【００２４】
そしてＣＰＵ１１２は、これらの情報及びプログラム線図などに基づいて最終的な露出値（シャッタ速度及び絞り値）を算出する。そして、算出した露出値に基づき、アイリス駆動回路１０４，ＣＣＤ駆動回路１０５へ露出制御パラメータを設定する。
【００２５】
また、ＣＰＵ１１２は、後述する露出補正処理により、その時点の輝度に追従していない露出値を算出した場合には、追従できていない露出を階調補正により補うための階調補正情報を算出する。そして、階調補正情報を階調補正回路１０６９へ出力する。
【００２６】
階調補正回路１０６９は、ＣＰＵ１１２からの階調補正情報に従い、輝度処理、色変換処理、輪郭処理が行われた画像データに対して階調補正処理を実施する。
リサイズ処理回路１０６１０は、画像データを、出力する画角や画素数に応じてリサイズ処理する。
【００２７】
ＮＲ回路１０６１１は、リサイズ後の画像データに対してノイズ低減処理を行う。
ＮＲ回路１０６１１の出力は符号化処理部１０７で圧縮符号化される。符号化処理部１０７は、圧縮符号化した画像データ（符号化データ）をバッファ１１０に転送する。バッファ１１０に蓄積された符号化データは、伝送レートに応じて読み出され、撮像装置が有する記録装置や、外部に接続された装置へ出力される。また、符号化処理部１０７は、使用する符号化方式により予め決まっているフレームの種別（例えばＩフレーム、Ｐフレーム、Ｂフレームのいずれか）を示す情報を含むフレーム情報をＣＰＵ１１２へ出力する。このフレーム情報は、例えば次に処理する画像フレームの種別を含んでいても良い。
【００２８】
符号量制御部１０８は、伝送レートとバッファ１１０における符号化データの蓄積状態を監視し、符号化処理部１０７が用いる量子化テーブルの係数を変更して符号量を制御し、バッファ１１０のアンダーフローやオーバフローを防止する。
【００２９】
図２は、本実施形態のビデオカメラが行う露出値算出処理を説明するためのフローチャートである。
まず、ＣＰＵ１１２は、輝度差検出回路１０６８が算出する輝度差分値ΔＹが、予め定めた閾値Ｔｈ以上であるか否かを判断する（Ｓ２０２）。
【００３０】
輝度差分値が閾値以下（ΔＹ≦Ｔｈ）である場合、ＣＰＵ１１２は、その時点での輝度に追従した露出値、即ち目標露出値を算出する（Ｓ２０４）。
輝度に追従した露出値の算出を、以下の式（１）で表す。
Ｐ＿Ｔｎ＝Ｐ（Ｙｎ）      （１）
これは、時間ｎにおける露出値を表すパラメータＰ＿Ｔｎが、その時点での輝度Ｙｎに相当するパラメータＰ（Ｙｎ）であることを示している。
【００３１】
輝度差分値ΔＹが閾値Ｔｈを上回った場合、ＣＰＵ１１２は、目標露出値に段階的に到達するような露出制御を行う。さらに、ＣＰＵ１１２は、露出値が適用される画像フレームが、符号化処理部１０７においてフレーム内予測符号化されるのか、フレーム間予測符号化されるのかを、フレーム情報から判別する（Ｓ２０４）。具体的には、符号化処理部１０７がＭＰＥＧ方式による符号化を行う場合、Ｉフレームとして符号化する画像フレームか、それ以外のフレーム（ＰフレームやＢフレーム）として符号化されるかを判別する。そして、フレーム内予測符号化される画像フレームは、輝度の変化に追従しても符号量の増加に対する影響は小さいと考えられるため、ＣＰＵ１１２は、輝度の変化に対する追従性が高い（変化の大きい）露出値の算出を行う（Ｓ２０５）。
【００３２】
一方、フレーム間予測符号化される画像フレームは、フレーム間の輝度差が大きく符号量に影響するため、ＣＰＵ１１２は、輝度に対する追従性を低くした（変化の小さい）露出値の算出を行う（Ｓ２０６）。
【００３３】
Ｓ２０５及びＳ２０６における露出値の算出を、式（１）と同様に表すと
Ｉフレーム（フレーム内予測符号化されるフレーム）について
Ｐ＿Ｔｎ＝（１±α０）×Ｐ＿Ｔｎ−１    （２）
それ以外のフレーム（フレーム間予測符号化されるフレーム）について
Ｐ＿Ｔｎ＝（１±α１）×Ｐ＿Ｔｎ−１    （３）
となる。
【００３４】
これは、時間ｎにおける露出値を表すパラメータＰ＿Ｔｎが、単位時間前の時間ｎ−１におけるパラメータＰ＿Ｔｎ−１を、係数α０，α１で定まる一定の割合で変化させたものであることを表す。ここで、Ｉフレームの方が輝度の変化に対する追従性をよくするため、α０＞α１である。係数α０，α１の符号は、処理中の画像フレームの輝度が基準となる画像フレームの輝度に対して増加しているのか、減少しているのかによって定まる。係数α０、α１の値は、例えば符号量制御部１０８による符号量制御が破綻しないよう、符号量の増加を考慮して設定することができる。
【００３５】
このようにして算出された露出値を表すパラメータを用い、ＣＰＵ１１２はアイリス駆動回路１０４及びＣＣＤ駆動回路１０５を制御し（Ｓ２０７）、絞り及びシャッタ速度の制御を行う。
【００３６】
また、輝度差ΔＹが閾値Ｔｈを超えており、算出した露出値が輝度の変動に完全には追従していない場合、ＣＰＵ１１２は輝度の変動に追従した場合の露出値（目標露出値）と、Ｓ２０５，Ｓ２０６で算出したの露出値の差分を算出する（Ｓ２０８）。そして、ＣＰＵ１１２は、この差分を補うための階調補正係数を算出し（Ｓ２０９）、階調補正回路１０６９に供給する。
【００３７】
以上の処理を、例えば所定フレーム数おきといった定期的に算出した輝度差を用いて実行することができる。例えば、１５フレームごとに輝度変化（輝度差）を算出する場合、あるタイミングで算出した輝度差は、そこから１５フレームに対して有効である。従って、ΔＹ≧Ｔｈの場合、１５フレームに渡って、Ｓ２０３及びＳ２０８以降の処理が繰り返し実行される。これにより、輝度変化に徐々に追従する露出制御が実現される。本実施形態においては、１５フレームごとに輝度変化を算出しているが、輝度変化を算出する間隔はこれに限られるわけではない。
【００３８】
図３Ａは、暗い背景に明るい被写体が入ってきた場合に本実施形態のビデオカメラが行う露出値の制御について説明する図である。
【００３９】
明るい被写体の影響により、画角内の全体輝度が時刻Ｔ０におけるＹ０から、時刻Ｔ１におけるＹ１へと増加したとする。これにより、露出値を示すパラメータも画角内の輝度増加に追従し、シャッタ速度を高速に及び／又はアイリスを絞る方向へ変化することになる。
【００４０】
しかし、画角内の全体輝度の大きな変動にそのまま追従するように露出制御を行うと、輝度増加前の画像フレームとの間の輝度差が大幅に増加するため、フレーム間予測符号化時の符号量の増加につながる。そのため、Ｉフレーム以外のフレームについては、露出値の変動の時定数τを小さく制御し、露出値の変動幅を抑圧する。
【００４１】
つまり、図３Ａに示すように、露出値パラメータを、輝度Ｙ１に対応したＰ（Ｙ１）に到達するまで緩やかに変動させて行く。その間、符号化処理部１０７が用いる符号化方式におけるＩフレームの場合とＢ、Ｐフレームの場合で時定数τを切り替える。Ｉフレームであれば輝度差の符号量への影響が小さいので時定数τ１とし、それ以外のフレームについては輝度差の符合量への影響が大きいため、時定数τ０とする。ここで、時定数τ１＞τ０である。
【００４２】
これは、即ち、式（２）及び式（３）における係数α０にτ１を，α１にτ０を当てはめたのと同義である。
従って、画角内の全体輝度がＴ１からＹ１のまま維持されたとすると、図３Ａに示すようにして、Ｉフレームについては大きく、その他のフレームについては小さく、段階的に輝度Ｙ１に対応した露出値Ｐ（Ｙ１）に到達する。
このような、符号化方式を考慮した露出制御を行うことにより、符号量の増加を抑制しながら、輝度変化に追従した露出値を得ることができる。
【００４３】
本実施形態においては、さらに、輝度変化への追従性を抑えた露出制御を行う間、階調補正を併用することで、変化後の輝度Ｙ１に対応した露出値Ｐ（Ｙ１）と、実際の露出値との差に起因する画質劣化の抑制を実現する。
【００４４】
図３Ｂは図３Ａに示す露出制御と連動する階調補正の特性の例を示す図である。
【００４５】
階調補正は、大きな輝度差への露出値の追従を緩やかにすることにより、入ってきた明るい被写体に対して適正な露出が得られるまでの期間、この被写体の画質劣化を抑制するために行う。
【００４６】
ここでは、Ｙ１＞Ｙ０であるため、Ｐ（Ｙ１）に到達するまでは高輝度の被写体の露出がオーバー（白飛び）しやすくなる。そのため、Ｐ（Ｙ１）と、図３Ａに示した制御で算出されて実際に用いられる露出値との差分を算出し、高輝度の画素に対し、差分に応じたゲイン低下特性を有する階調補正情報（輝度−レベル特性）を生成する。そして、生成した階調補正情報を階調補正回路１０６９に与えて、撮像画像に適用することにより、高輝度部分の白飛びを抑制する。
【００４７】
図３Ｂに示すように、目標の露出値Ｐ（Ｙ１）と、実際の露出値との差が大きいほど（時刻Ｔ１に近いほど）、高輝度画素に対するゲイン補正量が大きい。そして、徐々に点線で示す輝度−レベル特性（無補正）に近づけていく。なお、ゲインを低下させる輝度の範囲（下限値）は、適宜設定することができる。
【００４８】
図４Ａは、明るい背景に暗い被写体が入ってきた場合に本実施形態のビデオカメラが行う露出値の制御について説明する図である。
【００４９】
暗い被写体の影響により、画角内の全体輝度が時刻Ｔ０におけるＹ０から、時刻Ｔ１におけるＹ１へと減少したとする。これにより、露出値を示すパラメータも画角内の輝度減少に追従し、シャッタ速度を低速に及び／又はアイリスを開く方向へ変化することになる。
【００５０】
しかし、画角内の全体輝度の大きな変動にそのまま追従するように露出制御を行うと、輝度増加前の画像フレームとの間の輝度差が大幅に増加するため、フレーム間予測符号化時の符号量の増加につながる。そのため、Ｉフレーム以外のフレームについては、露出値の変動の時定数τを小さく制御し、露出値の変動幅を抑圧する。
【００５１】
つまり、図４Ａに示すように、露出値パラメータを、輝度Ｙ１に対応したＰ（Ｙ１）に到達するまで緩やかに変動させて行く。その間、符号化処理部１０７が用いる符号化方式におけるＩフレームの場合とＢ、Ｐフレームの場合で時定数τを切り替える。Ｉフレームであれば輝度差の符号量への影響が小さいので時定数τ１とし、それ以外のフレームについては輝度差の符合量への影響が大きいため、時定数τ０とする。ここで、時定数τ１＞τ０である。
【００５２】
なお、図４Ａとその説明において、輝度や時定数に図３Ａと同じ記号を用いたが、これは便宜的なものであり、両者の制御で同じ輝度や時定数を利用することを意図したものではない。
【００５３】
図４Ｂは図４Ａに示す露出制御と連動する階調補正の特性の例を示す図である。
【００５４】
ここでは、Ｙ１＜Ｙ０であるため、Ｐ（Ｙ１）に到達するまでは低輝度の被写体の露出がアンダー（黒つぶれ）しやすくなる。そのため、Ｐ（Ｙ１）と、図４Ａに示した制御で算出されて実際に用いられる露出値との差分を算出し、低輝度の画素に対し、差分に応じたゲイン増加を行うような階調補正情報（輝度−レベル特性）を生成する。そして、生成した階調補正情報を階調補正回路１０６９に与えて、撮像画像に適用することにより、低輝度部分の黒つぶれを抑制する。
【００５５】
図４Ｂに示すように、目標の露出値Ｐ（Ｙ１）と、実際の露出値との差が大きいほど（時刻Ｔ１に近いほど）、低輝度画素に対するゲイン補正量が大きい。そして、徐々に点線で示す輝度−レベル特性（無補正）に近づけていく。なお、ゲインを増加させる輝度の範囲（上限値）は、適宜設定することができる。
【００５６】
以上説明したように、本実施形態によれば、画角内の輝度変化に応じた露出制御を行う際に、輝度変化が所定の閾値よりも大きい場合には、そうでない場合よりも輝度変化に対する追従性を抑えた露出制御を行う。
【００５７】
さらに、輝度変化に対する追従性を抑えた露出制御を行う際に、フレーム内予測符号化される画像フレームに対しては、フレーム間予測符号化される場合よりも露出値の変化の割合が大きくなるように露出値を制御する。
【００５８】
これにより、符号量の増加を効果的に抑制しながら、露出値を輝度変化に追従させることが可能になる。
【００５９】
加えて、輝度変化に対する追従性を抑えた露出制御を行う場合、目標の露出値との差に応じた階調補正を撮像された画像フレームに対して適用することで、高輝度の領域の白飛びや低輝度の領域の黒つぶれといった画質の低下を抑制することができる。
【図面の簡単な説明】
【００６０】
【図１】本発明の実施形態に係る撮像装置の一例としてのビデオカメラの機能構成例を示すブロック図である。
【図２】本発明の実施形態に係るビデオカメラが行う露出値算出処理を説明するためのフローチャートである。
【図３Ａ】暗い背景に明るい被写体が入ってきた場合に本実施形態のビデオカメラが行う露出値の制御について説明する図である。
【図３Ｂ】図３Ａに示す露出制御と連動する階調補正の特性の例を示す図である。
【図４Ａ】明るい背景に暗い被写体が入ってきた場合に本実施形態のビデオカメラが行う露出値の制御について説明する図である。
【図４Ｂ】図４Ｂに示す露出制御と連動する階調補正の特性の例を示す図である。
【図１】
2009118012.tif 000003
【図２】
2009118012.tif 000004
【図３Ａ】
2009118012.tif 000005
【図３Ｂ】
2009118012.tif 000006
【図４Ａ】
2009118012.tif 000007
【図４Ｂ】
2009118012.tif 000008